(57)【要約】【課題】  指紋及び手の甲の静脈パターンの認識による個人識別機能を用いて、画像形成装置のセキュリティシステムを確立すること。【解決手段】  操作パネル１０４において接続端末からの登録情報保存期間の設定モードに入るための操作が行われた場合（Ｓ１１；Ｙ）、ＩＤ入力を促し（Ｓ１２）、正しいＩＤが入力されたならば、該モードに入り（Ｓ１４）、接続端末からの登録情報保存期間を入力するようにオペレータに促す（Ｓ１５）。所定の範囲内の値が入力され（Ｓ１６；Ｙ）、かつ、登録ボタンが押されたならば（Ｓ１７；Ｙ）、接続端末からの登録情報保存期間の設定モードを終了する（Ｓ１８）。この時、登録情報保存期間所定の範囲内の値が入力されても（Ｓ１６；Ｙ）、一定時間の間に登録ボタンが押されない場合は（Ｓ１７；Ｎ、Ｓ２１；Ｙ）、登録されずに該設定モードを終了する（Ｓ２２）。【選択図】      図２
2006255332.tif 000002
【特許請求の範囲】
【請求項１】
手の甲の静脈パターン及び／または指の指紋を認識する個人情報認識手段と、
この個人情報認識手段で認識した個人情報を個人別に登録する第１の登録手段と、
ネットワークを介して接続された端末から前記個人情報認識手段により個人情報を個人別に登録する第２の登録手段と、
該静脈パターンと指の指紋との組み合わせでオペレータの認識を行い、前記第１の登録手段または第２の登録手段に登録された者のみに利用を許可する利用許可手段と、を備え、
前記ネットワークを介して接続された端末から前記第２の登録手段に登録された個人情報を消去するまでの期間を設定するために更にＩＤを要求することを特徴とする画像形成装置。
【請求項２】
前記ネットワークを介して接続された端末から前記第２の登録手段に登録された個人情報を消去するまでの期間を設定するために要求されるＩＤは、前記接続された端末からは登録できないことを特徴とする請求項１記載の画像形成装置。
【請求項３】
前記ネットワークを介して接続された端末から前記第２の登録手段に登録された個人情報を消去するまでの期間を設定するために要求されるＩＤが、前記接続された端末からは登録できないように設定する設定手段をさらに備えたことを特徴とする請求項２記載の画像形成装置。
【発明の詳細な説明】
【技術分野】
【０００１】
本発明は、指紋及び手の甲の静脈パターンの認識による個人識別技術を用いてセキュリティ機能を向上させた画像形成装置に関する。
【背景技術】
【０００２】
近年、ＩＴ化、ネットワーク化の進展に伴い、各種の端末と画像形成装置をネットワークで接続して効率的に事務処理を行うことが一般化している。このような環境化では、個人情報や機密情報が流出する可能性も高くなる。そこで、指紋や手の甲の静脈パターンの認識による個人識別技術を用いて、ネットワークや機器にアクセスできる者を限定して、セキュリティの保持が図られている。
【特許文献１】特開平１０−２９５６７４号公報
【特許文献２】特開２０００−２２１８５１
【特許文献３】特開２００４−１５４５４６
【０００３】
特許文献１記載の発明は、静脈パターンにより個人の識別を図る技術に関する。また、特許文献２記載の発明は、ユーザーの指紋を認識することで、当該指紋と登録指紋とを照合して、合致した場合のみ使用を許可する画像形成装置が開示されている。
特許文献３は、指紋や手の甲の静脈パターンの認識による個人識別技術を用いて、ユーザーを識別してセキュリティを高めた画像形成装置が開示されている。
【発明の開示】
【発明が解決しようとする課題】
【０００４】
ところで、従来の指紋及び手の甲の静脈パターンの認識による個人識別及び特定化技術では、例えば、ネットワークを介して接続される端末等から登録した情報と、本システムから直接登録した情報を識別することができず、セキュリティ面において必ずしも満足いくものではなかった。
そこで、本発明の第１の目的は、接続される端末から登録された静脈パターン及び指紋に関する情報の保存期間を設定するためにＩＤ入力を必要とすることで、よりセキュリティが向上した画像形成装置を提供することである。
本発明の第２の目的は、ＩＤ情報が消去されるまでの期間を、接続端末から設定できないようにすることで、よりセキュリティが向上した画像形成装置を提供することである。
本発明の第３の目的は、ＩＤ情報が消去されるまでの期間を、接続端末から設定できるか否かの設定を本装置から行うことができるようにして、よりセキュリティが向上した画像形成装置を提供することである。
【課題を解決するための手段】
【０００５】
請求項１記載の発明では、手の甲の静脈パターン及び／または指の指紋を認識する個人情報認識手段と、この個人情報認識手段で認識した個人情報を個人別に登録する第１の登録手段と、ネットワークを介して接続された端末から前記個人情報認識手段により個人情報を個人別に登録する第２の登録手段と、該静脈パターンと指の指紋との組み合わせでオペレータの認識を行い、前記第１の登録手段または第２の登録手段に登録された者のみに利用を許可する利用許可手段と、を備え、前記ネットワークを介して接続された端末から前記第２の登録手段に登録された個人情報を消去するまでの期間を設定するために更にＩＤを要求することにした画像形成装置により、前記第１の目的を達成する。
【０００６】
請求項２記載の発明では、請求項１記載の発明において、前記ネットワークを介して接続された端末から前記第２の登録手段に登録された個人情報を消去するまでの期間を設定するために要求されるＩＤは、前記接続された端末からは登録できないことにより、前記第２の目的を達成する。
【０００７】
請求項３記載の発明では、請求項２記載の発明において、前記ネットワークを介して接続された端末から前記第２の登録手段に登録された個人情報を消去するまでの期間を設定するために要求されるＩＤが、前記接続された端末からは登録できないように設定する設定手段をさらに備えたことにより、前記第３の目的を達成する。
【発明の効果】
【０００８】
請求項１記載の発明では、接続される端末から登録された静脈パターン及び指紋に関する情報の保存期間を設定するためにＩＤ入力が必要になるので、ネットワーク等に接続される出力端末としてもよりセキュリティの高いものとすることができる。
請求項２記載の発明では、該情報保存期間の設定を接続端末からできないので、操作箇所を限定する事で更なるセキュリティを向上させることができる。
請求項３記載の発明では、接続端末から該情報保存期間の設定可否をＯｎ／Ｏｆｆ設定できるので、使い勝手に応じた融通性の高いセキュリティシステムを実現できる。
【発明を実施するための最良の形態】
【０００９】
以下、本発明の好適な実施の形態を図１ないし図３を参照して、詳細に説明する。
図１は、本発明の実施例に係る画像形成装置の構成を示したブロック図である。
この図１に示すように、この画像形成装置は、ＣＰＵ（中央演算処理装置）１０１、ＲＯＭ（リード・オンリ・メモリ）１０２、ＲＡＭ（ランダム・アクセス・メモリ）１０３、操作パネル１０４、各種センサ１０５、各種モータ１０６、Ｉ／Ｏ制御部１０７、スキャナー部１０８、読み取り制御部１０９、プロッター部１１０、書き込み制御部１１１、静脈パターン認識手段１１２、指紋認識手段１１３、認識データ記憶手段１１４、照合手段１１５、個人認識手段１１６および画情報蓄積部１１７より構成されている。
【００１０】
ＣＰＵ１０１は、本画像形成装置のシステム制御を行い、ＲＯＭ１０２に格納されているプログラムに従って、ＲＡＭ１０３をワークエリアに使用しつつ、本画像形成装置を統括する。
操作パネル１０４は、オペレータが各種設定等を行うためのパネルであり、各種センサ１０５は、紙サイズ検知やジャム検知等を行い、この各種センサ１０５の入力および負荷を駆動する各種モータ１０６の出力制御信号をＣＰＵ１０１の命令に基づいて制御を行うのがＩ／Ｏ制御部１０７である。
読み取り制御部１０９は、スキャナ部１０８を制御し、書込み制御部１１１は、プロッター部１１０の制御を行う。
静脈パターン認識手段１１２は、手の甲の静脈パターンを認識し、指紋認識手段１１３は、指の指紋を認識する。認識データ記憶手段１１４は、それらと共に入力された個人情報をデータとして記憶しておく。照合手段１１５は、認識データ記憶手段１１４に予め記憶・登録されたデータと、静脈パターン認識手段１１２および指紋認識手段１１３で取得したデータとの比較を行い、同じかどうか判定を行う。
また、静脈パターン認識手段１１２と指紋認識手段１１３は、併せて個人認識手段１１６の中で、それぞれの固有データの認識を行うものとする。
【００１１】
図２は、第１の実施例を処理手順を示したフローチャートである。
図２において、まず、本画像形成装置の操作パネル１０４において接続端末からの登録情報保存期間の設定モードに入るための所定の操作が行われた場合（ステップ１１）、オペレータに対してＩＤ入力を促し（ステップ１２）、正しいＩＤが入力されたならば（ステップ１３；Ｙ）、該モードに入り（ステップ１４）、接続端末からの登録情報保存期間を入力するようにオペレータに促す（ステップ１５）。
そして、所定の範囲内の値が入力され（ステップ１６；Ｙ）、かつ、登録ボタンが押されたならば（ステップ１７；Ｙ）、接続端末からの登録情報保存期間の設定モードを終了する（ステップ１８）。
この時、登録情報保存期間所定の範囲内の値が入力されても（ステップ１６；Ｙ）、一定時間の間に登録ボタンが押されない場合は（ステップ１７；Ｎ、ステップ２１；Ｙ）、登録されずに該設定モードを終了する（ステップ２２）。
もし、正しいＩＤが入力されなかった場合は（ステップ１３；Ｎ、ステップ１９、ステップ２０；Ｎ）、該設定モードを終了する。
【００１２】
図３は、第２の実施例の処理手順を示したフローチャートである。
図３において、まず、本画像形成装置の操作パネル１０４において接続端末からの登録情報保存期間の設定可否モードに入るための所定の操作が行われた場合（ステップ３１；Ｙ）、オペレータに対してＩＤ入力を促し（ステップ３２）、正しいＩＤが入力されたならば（ステップ３３；Ｙ）、該モードに入る。
そして、接続端末からの登録情報保存期間の設定を有効にするか、無効にするか、Ｏｎ／Ｏｆｆ設定を促し（ステップ３４）、Ｏｎが選択されたならば（ステップ３５；Ｙ）、接続端末からの登録情報保存期間の設定を有効にする（ステップ３６）。一方、Ｏｆｆが選択されたならば（ステップ３５；Ｎ、ステップ４０；Ｙ）、接続端末からの登録情報保存期間の設定を無効にする（ステップ４１）。その後、接続端末からの登録情報保存期間の設定可否モードを終了する（ステップ３７）。
所定の時間内にＯｎ／Ｏｆｆいずれも選択されなかった場合には（ステップ４０；Ｎ）、初期値（Ｏｆｆ）を設定して終了する（ステップ４３）。
【００１３】
ところで、ここで述べている静脈パターン認識手段１１２とは、例えば、手の甲を含む所定の領域に赤外線等の光を当てて、静脈パターンが該光の透過若しくは反射成分となり、抽出するという様な仕組みであり、指紋認識手段１１３とは、例えば、静脈パターン認識手段１１２と同様な方式でも、キセノンランプとＣＣＤを用いて読み取る方式でも良く、個人認識手段１１６とはそれらを共に実現するものである。
また、接続端末から送られる、所定の形式の個人識別情報ファイルは、例えば、スキャナで手の甲の静脈パターン、指紋を読み取り、所定の形式で保存したもの等があげられる。
【図面の簡単な説明】
【００１４】
【図１】本発明の実施例に係る画像形成装置の構成を示したブロック図である。
【図２】第１の実施例の処理手順を示したフローチャートである。
【図３】第２の実施例の処理手順を示したフローチャートである。
【符号の説明】
【００１５】
１０１  ＣＰＵ（中央演算処理装置）
１０２  ＲＯＭ（リード・オンリ・メモリ）
１０３  ＲＡＭ（ランダム・アクセス・メモリ）
１０４  操作パネル
１０５  各種センサ
１０６  各種モータ
１０７  Ｉ／Ｏ制御部
１０８  スキャナー部
１０９  読み取り制御部
１１０  プロッター部
１１１  書き込み制御部
１１２  静脈パターン認識手段
１１３  指紋認識手段
１１４  認識データ記憶手段
１１５  照合手段
１１６  個人認識手段
１１７  画情報蓄積部
【図１】
2006255332.tif 000003
【図２】
2006255332.tif 000004
【図３】
2006255332.tif 000005